(57)【特許請求の範囲】
【請求項１】
上カバーとベースとからなる袖部ハウジング内にスイッチブロックを配設し、上カバー表面にスイッチブロックのスイッチの操作部を配している局部洗浄装置において、ベース上にスイッチブロックを上下位置可変に取り付けているとともに、スイッチブロックを上方に付勢して上カバー内面に接触させる弾性部材を設け、ベースとスイッチブロックとはほぼ水平な面におけるスイッチブロックの長手方向についての位置決めを行う位置決め部を備え、スイッチブロックと上カバーとは上記面におけるスイッチブロックの短手方向についての位置決めを行う位置決め部を備えていることを特徴とする局部洗浄装置。
【請求項２】
上カバーとベースとからなる袖部ハウジング内にスイッチブロックを配設し、上カバー表面にスイッチブロックのスイッチの操作部を配している局部洗浄装置において、ベース上にスイッチブロックを上下位置可変に取り付けているとともに、スイッチブロックを上方に付勢して上カバー内面に接触させる弾性部材を設け、該弾性部材はコイルばねであって、ベースによって一端側が保持されたコイルばねは、その他端がスイッチブロックに設けられた筒状のばね受け部に差し込まれ、該筒状のばね受け部はその内壁にコイルばね他端を誘導する誘導部を備えているとともに、該誘導部はばね受け部をその開口端から底部に向けて漸次狭くしているものであることを特徴とする局部洗浄装置。
【請求項３】
ベース側のコイルばねの一端を保持する保持部材は高さの異なる複数本のボスであり、該ボスの先端部で保持されたコイルばねの他端を受ける筒状のばね受け部はその内壁に設けられた複数個の突出量が異なる誘導リブで斜めに形成されていることを特徴とする請求項２に記載の局部洗浄装置。
【請求項４】
スイッチブロックはばね弾性を有するフックによってベースに着脱自在に取り付けられていることを特徴とする請求項１〜３のいずれか一項に記載の局部洗浄装置。
【請求項５】
スイッチブロックはその上面に複数個の突部を有して上カバー内面に上記突部を当接させていることを特徴とする請求項１〜４のいずれか一項に記載の局部洗浄装置。
【発明の詳細な説明】
【０００１】
【発明の属する技術分野】
本発明は局部洗浄装置、殊にスイッチブロックの固定に関するものである。
【０００２】
【従来の技術】
局部洗浄装置では、その本体に便器の脇に位置することになる袖部を設けて、この袖部にスイッチブロックを配置しているが、この時、従来は袖部のハウジングを構成する上カバーとベースのうち、ベース側にスイッチブロックを固定することで、上カバーを外すことによるメンテナンスをやりやすくしていた。
【０００３】
【発明が解決しようとする課題】
しかし、上記スイッチブロックにおけるスイッチを操作する部分は、上カバーの表面に配置することから、上カバーとベースとの組立精度及びベースに対するスイッチブロックの組付精度をかなり高くしないと、上カバー表面のスイッチ操作部を操作しても、対応するスイッチを適切にオンオフすることができなかったり、スイッチブロックに設けた発光表示手段からの光が上カバーにおける対応する表示窓だけでなく、他の表示窓からも漏れてしまうことが生じる。
【０００４】
本発明はこのような点に鑑みなされたものであって、その目的とするところはメンテナンス性を良好に保つと同時に、上カバーに対するスイッチブロックの位置決め精度を高く保つことができる局部洗浄装置を提供するにある。を提供するにある。
【０００５】
【課題を解決するための手段】
しかして本発明は、上カバーとベースとからなる袖部ハウジング内にスイッチブロックを配設し、上カバー表面にスイッチブロックのスイッチの操作部を配している局部洗浄装置において、ベース上にスイッチブロックを上下位置可変に取り付けているとともに、スイッチブロックを上方に付勢して上カバー内面に接触させる弾性部材を設け、ベースとスイッチブロックとはほぼ水平な面におけるスイッチブロックの長手方向についての位置決めを行う位置決め部を備え、スイッチブロックと上カバーとは上記面におけるスイッチブロックの短手方向についての位置決めを行う位置決め部を備えたものとする。
【０００６】
上記構成の局部洗浄装置にあっては、ベースにスイッチブロックを取り付けることで、上カバーを外すことによるメンテナンス性を考慮すると同時に、スイッチブロックはベースに対して上下位置可変に取り付けるとともに上方に弾性材で付勢して上カバー内面に接触させているために、上カバーに対するスイッチブロックの上下方向の位置決め精度を高く保つことができる。
【０００７】
加えて、ベースとスイッチブロックとはほぼ水平な面におけるスイッチブロックの長手方向についての位置決めを行う位置決め部と、スイッチブロックと上カバーとは上記面におけるスイッチブロックの短手方向についての位置決めを行う位置決め部とを備えているので、左右方向についての位置決め精度も高く保つことができる。
【０００８】
また本発明は、上カバーとベースとからなる袖部ハウジング内にスイッチブロックを配設し、上カバー表面にスイッチブロックのスイッチの操作部を配している局部洗浄装置において、ベース上にスイッチブロックを上下位置可変に取り付けているとともに、スイッチブロックを上方に付勢して上カバー内面に接触させる弾性部材を設け、該弾性部材はコイルばねであって、ベースによって一端側が保持されたコイルばねは、その他端がスイッチブロックに設けられた筒状のばね受け部に差し込まれ、該筒状のばね受け部はその内壁にコイルばね他端を誘導する誘導部を備えているとともに、該誘導部はばね受け部をその開口端から底部に向けて漸次狭くしているものであってもよい。
【０００９】
上記構成の局部洗浄装置にあっては、ベースにスイッチブロックを取り付けることで、上カバーを外すことによるメンテナンス性を考慮すると同時に、スイッチブロックはベースに対して上下位置可変に取り付けるとともに上方に弾性材で付勢して上カバー内面に接触させているために、上カバーに対するスイッチブロックの上下方向の位置決め精度を高く保つことができる。
【００１０】
加えて、弾性部材としてコイルばねを用いるとともに、ベースによって一端側が保持されたコイルばねの他端をスイッチブロックに設けられた筒状のばね受け部に差し込むようにしてあるので、コイルばねの組み付けを簡単に行うことができる。
【００１１】
更に、筒状のばね受け部はその内壁にコイルばね他端を誘導する誘導部を備えているとともに該誘導部はばね受け部をその開口端から底部に向けて漸次狭くしているものであるから、コイルばねの他端をばね受け部で容易に且つ確実に保持することができる。
【００１２】
ここで、ベース側のコイルばねの一端を保持する保持部材は高さの異なる複数本のボスであり、該ボスの先端部で保持されたコイルばねの他端を受ける筒状のばね受け部はその内壁に設けられた複数個の突出量が異なる誘導リブで斜めに形成されていると、上カバーを水平としていないものにおいてもスイッチブロックを問題なく取り付けることができる。
【００１３】
また、上記局部洗浄装置においては、スイッチブロックはばね弾性を有するフックによってベースに着脱自在に取り付けられていると、スイッチブロックの取り付け及び保守交換が容易となる。
【００１４】
スイッチブロックの上面に複数個の突部を設けて上カバー内面に上記突部を当接させておくと、スイッチブロックのがたつきを無くすことができる。
【００１５】
【発明の実施の形態】
以下本発明を実施の形態の一例に基づいて詳述すると、図８に示す局部洗浄装置は、片側に袖部１０を備えて便器の後上部に取り付けられる本体１と、該本体１に回動自在に取り付けられている便座２及び便蓋３とからなるもので、本体１はその内部に温水タンクや温風乾燥機や脱臭器を備えるほか、洗浄水を吐出する２種の洗浄ノズル４１，４２を備えており、袖部１０内には図１０に示すスイッチブロック５を内蔵している。また、使用者の便座への着座を検出する着座センサを備えているのであるが、この着座センサは、本体１の一側端側の投光窓１１を通じて投光されて袖部１０内の上記スイッチブロック５内に配した受光器１９（図６参照）で受光される赤外線が着座した使用者によって遮られることで着座を検知する光学的センサとして形成されている。なお、便蓋３を閉じた状態においては、便蓋３の基端側の切欠３１と便蓋３の袖部１０側に設けた切欠３２とを通じて赤外線が受光器に至るものとなっている。
【００１６】
上記スイッチブロック５は、複数個のタクトスイッチ５２が上面側に実装されている基板５１と、該基板５１を底面開口部にフック５９で保持する合成樹脂製のカバー５３とを備えており、カバー５３には図５に示すように薄肉弾性片５４を介して押し釦部５５が一体に形成されていて、上記袖部１０の天板部に配されるパネルシート５６を押せば、押し釦部５５が上記タクトスイッチ５２を駆動する。図中５７は本体１内に配された制御回路との接続用のコネクターである。
【００１７】
また、スイッチブロック５にはダイアルスイッチ６が設けられている。このダイアルスイッチ６は、図４及び図１０に示すように、軸回りの回転が自在な状態でカバー５３に組み付けられる回転軸６１と、袖部１０の上面側において回転軸６１の一端に装着される操作ダイアル６２と、回転軸６１の回転に伴って駆動されてタクトスイッチ５２をオンオフするスイッチ駆動レバー６３と、スイッチ駆動レバー６３をタクトスイッチ５２に向けて付勢するばね６４とからなるもので、一端がカバー５３の内面において回動自在に支持されているスイッチ駆動レバー６３は、上記ばね６４の付勢を受けて回動してタクトスイッチ５２をオンとするのであるが、操作ダイアル６２をオフ位置にしている時には、回転軸６１に設けたカム６６がスイッチ駆動レバー６３をばね６４に抗して押し上げてタクトスイッチ５２から離していることから、タクトスイッチ５２はオフとなっている。
【００１８】
ここにおいて、ダイアルスイッチ６は、オフ位置を中心として左右に操作ダイアル６２を回転させることができるようになっており、オフ位置から一方側へ回転させた時には、上記カム６６がスイッチ駆動レバー６３から外れるためにスイッチ駆動レバー６３がばね６４で押されてタクトスイッチ５２をオンとして図７に示す給水電磁弁２５を開かせるとともに、図１１〜図１３に示すノズルブロック４におけるバルブ軸４４を回転させて一方のノズル４１側への通路を開く。操作ダイアル６２を他方側へ回転させた時には、やはりタクトスイッチ５２のオンで給水電磁弁２５を開かせるとともに上記バルブ軸４４を回転させて他方のノズル４２側への通路を開くものとなっており、また、操作ダイアル６２の回転量に応じてバルブ軸４４を貫通する水路４０からノズル４１，４２に至る給水量を変化させるものとなっている。
【００１９】
ダイアルスイッチ６の操作ダイアル６２の回転に伴う上記バルブ軸４４の回転は、図１１及び図１２に示すように、本体１及び袖部１０のハウジングの底板にをスライド自在に配した断面平板状のラック板７でダイアルスイッチ６とノズルブロック４とを連結することで行っている。ラック板７はダイアルスイッチ６側では基板５１の下面側において回転軸６１の下端部に形成されているピニオン６９にラック７０を噛み合わせ、ノズルブロック４側ではバルブ軸４４の下端部に形成されているピニオン４９にラック７１を噛み合わせるもので、低摩擦係数の合成樹脂にて可撓性を有するものとして形成されて、上記ハウジングの底板上に一体に設けられている弧状のガイドリブ８１で形成されるガイド溝内に納められている。操作ダイアル６２で回転軸６１を回転させれば、ラック板７がスライドしてバルブ軸４４を回転させるものである。図１２中の８２はラック板７の抜け止め用ブリッジ、８３はガイド溝底部にあってラック板７を浮かせている摩擦抵抗軽減用の突部である。
【００２０】
次に上記スイッチブロック５の取付構造について説明すると、袖部１０のハウジングを構成するベース１０ａと上カバー１０ｂのうちのベース１０ａの上面から複数本の高さの異なるボス７５を立設して、該ボス７５の上端にコイルばね７６の一端側を取り付け、スイッチブロック５のカバー５３の四隅には下方に開口する筒状のばね受け部９０を設けて、該ばね受け部９０に上記コイルばね７６の上端側を差し込んでいる。また、スイッチブロック５のカバー５３からベース１０ａ側に突出させたフック９５をベース１０ａから立設したフック受け部７７の孔７８に差し込んで係合させている。
【００２１】
ここで、フック９５とフック受け部７７とは、ベース１０ａからスイッチブロック５が外れないようにするための抜け止めとして機能するものでベース１０に対するスイッチブロック５の小範囲内の上下動を許容するものとなっており、上述のようにベース１０ａにスイッチブロック５を取り付けた後、上カバー１０ｂを被せて上カバー１０ｂをベース１０ａに固定すれば、スイッチブロック５は上カバー１０ｂに押されて沈むとともにばね７６の力で上カバー１０ｂの内面に当接する。上カバー１０ｂとスイッチブロック５との間に上下方向の位置ずれが生じることがないものである。
【００２２】
また、上記フック受け部７７の孔７８の幅は、図３に示すように少しだけ先細となっているフック９５との係合時にスイッチブロック５の長手方向の位置決めを行い、さらにスイッチブロック５のカバー５３上面に設けたスイッチブロック５の長手方向に長い長孔９６に上カバー１０ｂ内面から突設した位置決め突起１０ｃ（図５参照）が入り込むことで、スイッチブロック５の短手方向の位置決めを行うことから、スイッチブロック５と上カバー１０ｂとの間に左右方向の位置ずれが生じることもない。特に、上記長手方向の位置ずれ防止をベース１０ａに対して行っているために、前述のラック板７とダイアルスイッチ６の位置関係がずれてしまうこともない。
【００２３】
さらに、図示例の袖部１０は、デザイン上、その上面が外側と先端側とが低くなる複合傾斜面となっており、このために上カバー１０ｂの内面に当接するスイッチブロック５も上カバー１０ｂに添って傾斜したものとなるが、上記ボス７５はこの傾斜に合わせて各高さを設定して、各コイルばね７６が同じばね力を発揮するようにしているために、スイッチブロック５が上カバー１０ｂ内面から浮いてしまうこともない。
【００２４】
また、スイッチブロック５における上記ばね受け部９０は、その内面に開口側よりも底部の方を狭くする誘導リブ９１を備えて、コイルばね７５の差し込みを容易にしているだけでなく、コイルばね７５を囲む複数の誘導リブ９１の突出長を変えるとともに底面を傾斜面９２（図４参照）として、成形の都合上、直立しているボス７５の上端から鉛直上方に突出するコイルばね７６を、傾いているスイッチブロック５のばね受け部９０にきれいに収まるようにしているために、コイルばね７６に変な負荷がかかってコイルばね７６によるスイッチブロック５の押し上げがスムーズになされなくなるような事態を招くことがないものとなっている。
【００２５】
加えるに、スイッチブロック５の上面側においては、ばね受け部９０の各直上位置においてカバー５３の上面から半球状の突部９４を複数個突出させて、上カバー１０ｂの内面にはこの突部９４が接するようにしているために、上カバー１０ｂに対してスイッチブロック５ががたついたりすることもないものである。なお、スイッチブロック５の上面の両側縁には補強のためのリブ９７を設けているが、図２に示すように、上カバー１０ｂの内面に上記リブ９７が収まる溝１０ｄを設けていることから、リブ９７の存在が上記突部９４の存在理由を損なってしまうことはない。
【００２６】
【発明の効果】
以上のように本発明においては、上カバーとベースとからなる袖部ハウジング内にスイッチブロックを配設し、上カバー表面にスイッチブロックのスイッチの操作部を配している局部洗浄装置において、ベース上にスイッチブロックを上下位置可変に取り付けているとともに、スイッチブロックを上方に付勢して上カバー内面に接触させる弾性部材を設け、ベースとスイッチブロックとはほぼ水平な面におけるスイッチブロックの長手方向についての位置決めを行う位置決め部を備え、スイッチブロックと上カバーとは上記面におけるスイッチブロックの短手方向についての位置決めを行う位置決め部を備えたものとしているために、上カバーを外してのメンテナンスが容易なものであり、しかもスイッチブロックは上方に弾性材で付勢されて上カバー内面に接触してることから、上カバーに対するスイッチブロックの上下方向の位置決め精度を高く保つことができるものである。
【００２７】
加えて、ベースとスイッチブロックとはほぼ水平な面におけるスイッチブロックの長手方向についての位置決めを行う位置決め部と、スイッチブロックと上カバーとは上記面におけるスイッチブロックの短手方向についての位置決めを行う位置決め部とを備えたものとしていることで、左右方向についての位置決め精度も高く保つことができる。
【００２８】
また本発明においては、上カバーとベースとからなる袖部ハウジング内にスイッチブロックを配設し、上カバー表面にスイッチブロックのスイッチの操作部を配している局部洗浄装置において、ベース上にスイッチブロックを上下位置可変に取り付けているとともに、スイッチブロックを上方に付勢して上カバー内面に接触させる弾性部材を設け、該弾性部材はコイルばねであって、ベースによって一端側が保持されたコイルばねは、その他端がスイッチブロックに設けられた筒状のばね受け部に差し込まれ、該筒状のばね受け部はその内壁にコイルばね他端を誘導する誘導部を備えているとともに、該誘導部はばね受け部をその開口端から底部に向けて漸次狭くしているので、コイルばねの他端をばね受け部に差し込むことが容易であるとともに、コイルばねの他端をばね受け部でがたつきなく確実に保持することができる。
【００２９】
また、ベース側のコイルばねの一端を保持する保持部材は高さの異なる複数本のボスであり、該ボスの先端部で保持されたコイルばねの他端を受ける筒状のばね受け部はその内壁に設けられた複数個の突出量が異なる誘導リブで斜めに形成されたものとすることで、デザイン上の都合などで上カバーを水平としていないものにおいてもスイッチブロックを問題なく取り付けることができる。
【００３０】
スイッチブロックはばね弾性を有するフックによってベースに着脱自在に取り付けておくと、スイッチブロックの取り付け及び保守交換が容易となる。
【００３１】
さらにスイッチブロックの上面に複数個の突部を設けて上カバー内面に上記突部を当接させておくと、スイッチブロックのがたつきを無くすことができる。
【図面の簡単な説明】
【図１】  本発明の実施の形態の一例の縦断面図である。
【図２】  同上の横断面図である。
【図３】  スイッチブロックとベースとの抜け止め用係合部を示すもので、(a)は部分正面図、(b)は断面図である。
【図４】  同上のスイッチブロックの縦断面図である。
【図５】  同上のスイッチブロックの平面図である。
【図６】  同上のスイッチブロックの底面図である。
【図７】  同上のスイッチブロックの側面図である。
【図８】  同上の局部洗浄装置全体を示す斜視図である。
【図９】  同上の局部洗浄装置の底面側を示す斜視図である。
【図１０】  同上のスイッチブロックの分解斜視図である。
【図１１】  同上のダイアルスイッチとノズルブロックの連動構造を示す斜視図である。
【図１２】  同上の連動構造を示す平面図である。
【図１３】  同上のノズルブロックのノズル切り換えと水量調整構造を示す水平断面図である。
【符号の説明】
５  スイッチブロック
１０  袖部
１０ａ  ベース
１０ｂ  上カバー
７６  コイルばね
【図１】
0003858532.tif 000002
【図２】
0003858532.tif 000003
【図３】
0003858532.tif 000004
【図４】
0003858532.tif 000005
【図５】
0003858532.tif 000006
【図６】
0003858532.tif 000007
【図７】
0003858532.tif 000008
【図８】
0003858532.tif 000009
【図９】
0003858532.tif 000010
【図１０】
0003858532.tif 000011
【図１１】
0003858532.tif 000012
【図１２】
0003858532.tif 000013
【図１３】
0003858532.tif 000014